【事件の表示】
　特願２００３−４１４６７９「厨芥処理機」拒絶査定不服審判事件〔平成１６年　６月１０日出願公開、特開２００４−１６０４５７〕について、次のとおり審決する。
【結　論】
　本件審判の請求は、成り立たない。
【理　由】
１．手続の経緯
　本願は、平成１３年８月３０日に出願された特願２００１−２６１４１４号（以下、「原出願」という。）の一部を特許法第４４条第１項の規定による新たな特許出願として、平成１５年１２月１２日に出願されたものであって、平成１６年１２月２８日付けで拒絶査定がなされ、これに対し、平成１７年２月１６日に拒絶査定に対する審判請求がなされるとともに、同日付けで手続補正がなされたものである。
　
２．平成１７年２月１６日付けの手続補正についての補正却下の決定
［補正却下の決定の結論］
平成１７年２月１６日付けの手続補正（以下、「本件補正」という。）を却下する。
　
［理由］
（１）本件補正
　本件補正は、審判請求時の平成１７年２月１６日付けの手続補正書により、特許請求の範囲を次のようにする補正を含むものである。
「【請求項１】
厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、前記加熱手段（１２）、触媒加熱手段（２０ｂ）を制御する制御回路（２９）とで構成され、前記触媒脱臭器（２０）によって脱臭された空気を本体（１）外に排出する厨芥処理機において、前記触媒脱臭器（２０）を前記本体（１）と外側固定容器（３）との間に設置するとともに、触媒脱臭器（２０）の近傍あるいは触媒脱臭器（２０）に隣接して脱臭器センサー（２３）を設け、該脱臭器センサー（２３）を制御回路（２９）の入力側に接続し、触媒脱臭器（２０）の触媒加熱手段（２０ｂ）を制御回路（２９）の出力側に接続し、該制御回路（２９）は、前記厨芥収納容器（４）内の厨芥ごみの乾燥運転が開始されて触媒加熱手段（２０ｂ）がＯＮし、触媒（２０ａ）の温度が上昇して脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする制御を行うことを特徴とする厨芥処理機。」
　この補正は、補正前の請求項１にかかる発明の「制御回路」について、「厨芥収納容器（４）内の厨芥ごみの乾燥運転が開始されて触媒加熱手段（２０ｂ）がＯＮ」すると限定することを含む補正であるから、この補正は、平成１８年改正前特許法第１７条の２第４項第２号の特許請求の範囲の減縮を目的とするものに該当する。
　そこで、本件補正後における特許請求の範囲に記載されている事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）否かについて以下に検討する。
　
（２）本願の出願日について
　本願補正発明は、「触媒（２０ａ）の温度が上昇して脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする制御を行う」という事項を発明を特定するための事項とするものである。
　そして、本願補正発明の上記事項に択一的に含まれる「触媒（２０ａ）の温度が上昇して脱臭器センサー（２３）が触媒（２０ａ）の活性温度領域内で高い温度に設定された所定温度（Ｔ３）を超えたとき、触媒加熱手段（２０ｂ）をＯＦＦする制御を行う」という事項に関して、原出願の明細書又は図面には、【請求項１】に「脱臭器センサー（２３）の検出する温度の変化が所定の時間的な温度傾斜（△Ｔｆ／△ｔ）以上でかつ脱臭器センサー（２３）の検出する温度が所定温度（Ｔ３）を超えた時、電動モーター（９）および触媒加熱手段（２０ｂ）をＯＦＦし」との記載、段落【００１７】，【００１８】及び【００７３】に「脱臭器センサーの検出する温度の変化が所定の時間的な温度傾斜（△Ｔｆ／△ｔ）以上でかつ脱臭器センサーの検出する温度が所定温度（Ｔ３）を超えた時、電動モーターおよび触媒加熱手段をＯＦＦし」との記載、段落【００５８】に「アルコール成分等を含んだ特殊な厨芥ごみの場合の制御方法の主要部を図３（ｂ）を参照し説明する。アルコール等は触媒２０ａと激しく化学反応して高熱を発生させるので、この場合の触媒２０ａの時間的な温度傾斜は図３（ａ）に示す通常の厨芥ごみの場合より急なものとなる。」との記載、段落【００５９】に「制御回路２９は、運転開始後は脱臭器センサー２３の検出する触媒２０ａの温度の時間的な変化を常に演算処理している。具体的には、脱臭器センサー２３の検出する温度が所定時間（△ｔ）の間に上昇する温度上昇分（△Ｔ）を常に把握し、この時間的な温度傾斜(△Ｔ／△ｔ)が所定の時間的な温度傾斜（△Ｔｆ／△ｔ）以上か否かを判断している。」との記載、段落【００６１】に「触媒２０ａの温度が急激に上昇して行き、制御回路２９は脱臭器センサー２３の検出する温度の変化が所定の時間的な温度傾斜（△Ｔｆ／△ｔ）以上でかつ脱臭器センサー２３の検出する温度が所定温度（Ｔ３）を超えた時（図のＵで示す。）、電動モーター９および触媒加熱手段２０ｂをＯＦＦする。」との記載、段落【００６５】に「図３（ｂ）の右側に示すように、もし再び触媒２０ａの温度が運転開始から所定時間（ｔｙ）以上経過してから急激に上昇した場合には、制御回路２９は脱臭器センサー２３の検出する温度の変化が所定の時間的な温度傾斜（△Ｔｆ／△ｔ）以上でかつ脱臭器センサー２３の検出する温度が所定温度（Ｔ３）を超えた時（図のＵで示す。）、電動モーター９および触媒加熱手段２０ｂをＯＦＦする等の制御を行う。」との記載があり、【図３】（ｂ）に「特殊な厨芥ごみの場合の制御方法」を示す図面が記載されている。
　これらの記載によれば、原出願の明細書又は図面には、アルコール成分等を含んだ特殊な厨芥ごみの場合の制御方法として、脱臭器センサーの検出する温度の変化が所定の時間的な温度傾斜（△Ｔｆ／△ｔ）以上でかつ脱臭器センサーの検出する温度が所定温度（Ｔ３）を超えた時、電動モーターおよび触媒加熱手段をＯＦＦするという構成によって、触媒と化学反応して高熱を発生させる厨芥ごみが投入された場合であっても、脱臭性能を維持し、機器の損傷を防ぐという効果を奏する技術的事項が記載されているといえ、この技術的事項は、前記「脱臭器センサーの検出する温度の変化が所定の時間的な温度傾斜（△Ｔｆ／△ｔ）以上で」という事項と、前記「脱臭器センサーの検出する温度が所定温度（Ｔ３）を超えた時、電動モーターおよび触媒加熱手段をＯＦＦする」という事項とを組み合わせることによって前記効果を奏するものと解される。
　しかるに、本願補正発明は、触媒加熱手段をＯＦＦする条件として、上記「脱臭器センサーの検出する温度の変化が所定の時間的な温度傾斜（△Ｔｆ／△ｔ）以上で」という事項を発明を特定するための事項としていないから、本願補正発明は、触媒の温度が上昇して脱臭器センサーが触媒の活性温度領域内で高い温度に設定された所定温度（Ｔ３）を超えたとき、脱臭器センサーの検出する温度の変化に関わらず、すなわち脱臭器センサーの検出する温度の変化が緩やかで所定の時間的な温度傾斜（△Ｔｆ／△ｔ）未満の場合にも、触媒加熱手段をＯＦＦする制御を行うものをも含むことになり、原出願の明細書又は図面に記載されている上記技術的事項の範囲内でない事項を含む発明である。
　そうすると、本願補正発明は、原出願の明細書又は図面に記載された発明の範囲内でない発明を含むものであり、本願は、特許法第４４条第１項の規定により新たな特許出願とすることができるものではなく、同条第２項の規定が適用されるものではないから、原出願の時にしたものとみなすことはできない。
　よって、本願の出願日は現実の出願日である平成１５年１２月１２日である。
　
（３）引用例の記載事項
　上記のとおり本願の出願日は平成１５年１２月１２日であり、本願の出願日前の平成１５年３月１１日に公開された特開２００３−７１４０２号公報（原査定の理由で引用された引用文献１である原出願の公開特許公報：以下、「引用例」という。）には、以下の事項が記載されている。
（ア）「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、・・・前記厨芥収納容器（４）内の厨芥ごみを加熱する加熱手段（１２）と、・・・触媒（２０ａ）および触媒加熱手段（２０ｂ）とで構成され、前記厨芥収納容器（４）内で発生した臭気を無臭化する触媒脱臭器（２０）と、この触媒脱臭器（２０）によって脱臭された気体を前記本体（１）外に排出する排気手段（２２）と、・・・加熱手段（１２）、・・・前記触媒加熱手段（２０ｂ）、・・・を制御する制御回路（２９）とで構成された厨芥処理機において、前記触媒（２０ａ）の温度を検出する脱臭器センサー（２３）を設け、制御回路（２９）は・・・脱臭器センサー（２３）の検出する温度の変化が所定の時間的な温度傾斜（△Ｔｆ／△ｔ）以上でかつ脱臭器センサー（２３）の検出する温度が所定温度（Ｔ３）を超えた時、・・・触媒加熱手段（２０ｂ）をＯＦＦ・・・する制御を行うことを特徴とする厨芥処理機。」（【請求項１】）
（イ）「脱臭器センサー（２３）の検出する温度が所定温度（Ｔ４）を超えた時には、制御回路（２９）は・・・触媒加熱手段（２０ｂ）をＯＦＦ・・・する制御を行うことを特徴とする請求項１記載の厨芥処理機。」（【請求項２】）
（ウ）「２０は触媒脱臭器で、本体１と外側固定容器３との間に設置されており」（段落【００３６】）
（エ）「２３は脱臭器センサーで、触媒脱臭器２０近傍あるいは隣接して設けられ、触媒２０ａの温度を検出するものである。」（段落【００３９】）
（オ）「制御回路２９の入力側には、前記した脱臭器センサー２３、容器センサー２７及び温度センサー２８が接続され、出力側には電動モーター９、加熱手段１２、送風手段１３、触媒加熱手段２０ｂ、排気手段２２及び後記報知手段３０が夫々接続され、これらを制御する。」（段落【００４４】）
（カ）「乾燥運転が開始されると、制御回路２９は触媒加熱手段２０ｂをＯＮとし、・・・触媒２０ａの温度が急激に上昇して行き、制御回路２９は・・・脱臭器センサー２３の検出する温度が所定温度（Ｔ３）を超えた時（図のＵで示す。）、電動モーター９および触媒加熱手段２０ｂをＯＦＦする。・・・所定温度（Ｔ３）は、触媒２０ａの活性温度領域内で高い温度値に設定する。」（段落【００６０】，【００６１】）
（キ）「触媒２０ａの温度が運転開始から所定時間（ｔｙ）以上経過してから急激に上昇した場合には、制御回路２９は・・・脱臭器センサー２３の検出する温度が所定温度（Ｔ３）を超えた時・・・触媒加熱手段２０ｂをＯＦＦする等の制御を行う。」（段落【００６５】）
（ク）「厨芥ごみが厨芥収納容器４内に投入されて乾燥運転が開始されると、時間が経過しても触媒２０ａの温度が上昇を続け、遂には所定温度（Ｔ４）を超える場合がある。所定温度（Ｔ４）は、触媒２０ａ等に損傷を与えない上限に近い値に設定する。・・・触媒２０ａの温度が上昇し、脱臭器センサー２３の検出する温度が所定温度（Ｔ４）を超えた時には、制御回路２９は・・・触媒加熱手段２０ｂをＯＦＦし、触媒２０ａの温度上昇を抑制する。」（段落【００６８】，【００６９】）
　
（４）対比・判断
　引用例には、記載事項（ア）に「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、この触媒脱臭器（２０）によって脱臭された気体を前記本体（１）外に排出する排気手段（２２）と、加熱手段（１２）、前記触媒加熱手段（２０ｂ）、を制御する制御回路（２９）とで構成された厨芥処理機において、前記触媒（２０ａ）の温度を検出する脱臭器センサー（２３）を設け、制御回路（２９）は脱臭器センサー（２３）の検出する温度の変化が所定の時間的な温度傾斜（△Ｔｆ／△ｔ）以上でかつ脱臭器センサー（２３）の検出する温度が所定温度（Ｔ３）を超えた時、触媒加熱手段（２０ｂ）をＯＦＦする制御を行うことを特徴とする厨芥処理機」が記載されており、この記載中の、前記「触媒脱臭器（２０）」について、記載事項（ウ）に「本体１と外側固定容器３との間に設置され」ることが記載され、前記「脱臭器センサー（２３）」について、記載事項（エ）に「触媒脱臭器２０近傍あるいは隣接して設けられ」ることが記載され、前記「制御回路（２９）」について、記載事項（オ）に「入力側に脱臭器センサー２３が接続され、出力側に触媒加熱手段２０ｂが夫々接続され」ることが、記載事項（カ）に「乾燥運転が開始されると、触媒加熱手段２０ｂをＯＮとし、触媒２０ａの温度が上昇して脱臭器センサー２３の検出する温度が所定温度（Ｔ３）を超えた時、触媒加熱手段２０ｂをＯＦＦする」ことが、記載事項（イ）に「脱臭器センサー（２３）の検出する温度が所定温度（Ｔ４）を超えた時には、触媒加熱手段（２０ｂ）をＯＦＦする制御を行うこと」が、記載事項（キ）に「触媒２０ａの温度が運転開始から上昇した場合に、脱臭器センサー２３の検出する温度が所定温度（Ｔ３）を超えた時、触媒加熱手段２０ｂをＯＦＦする等の制御を行う」ことが、記載事項（ク）に「厨芥ごみが厨芥収納容器４内に投入されて乾燥運転が開始され、触媒２０ａの温度が上昇を続け、脱臭器センサー２３の検出する温度が所定温度（Ｔ４）を超えた時に、触媒加熱手段２０ｂをＯＦＦする」ことが、それぞれ記載されている。また上記「所定温度（Ｔ３）」について、記載事項（カ）に「所定温度（Ｔ３）は、触媒２０ａの活性温度領域内で高い温度値に設定する」と記載され、上記「所定温度（Ｔ４）」について、記載事項（ク）に「所定温度（Ｔ４）は、触媒２０ａ等に損傷を与えない上限に近い値に設定する」と記載されている。
　これら引用例の記載事項を本願補正発明の記載振りに則して整理すると、引用例には、
「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、前記加熱手段（１２）、触媒加熱手段（２０ｂ）を制御する制御回路（２９）とで構成され、前記触媒脱臭器（２０）によって脱臭された空気を本体（１）外に排出する厨芥処理機において、前記触媒脱臭器（２０）を前記本体（１）と外側固定容器（３）との間に設置するとともに、触媒脱臭器（２０）の近傍あるいは触媒脱臭器（２０）に隣接して脱臭器センサー（２３）を設け、該脱臭器センサー（２３）を制御回路（２９）の入力側に接続し、触媒脱臭器（２０）の触媒加熱手段（２０ｂ）を制御回路（２９）の出力側に接続し、該制御回路（２９）は、前記厨芥収納容器（４）内の厨芥ごみの乾燥運転が開始されて触媒加熱手段（２０ｂ）がＯＮし、触媒（２０ａ）の温度が上昇して脱臭器センサー（２３）の検出する温度の変化が所定の時間的な温度傾斜（△Ｔｆ／△ｔ）以上でかつ脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする制御を行うことを特徴とする厨芥処理機」の発明（以下、「引用発明」という。）が記載されているといえる。
　
　そこで、本願補正発明と引用発明とを対比すると、引用発明の「触媒（２０ａ）の温度が上昇して脱臭器センサー（２３）の検出する温度の変化が所定の時間的な温度傾斜（△Ｔｆ／△ｔ）以上でかつ脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする制御を行う」と、本願補正発明の「触媒（２０ａ）の温度が上昇して脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする制御を行う」とは、いずれも触媒（２０ａ）の温度が上昇して触媒（２０ａ）に損傷を与えない上限に近い所定温度（Ｔ４）を超えたとき、触媒加熱手段（２０ｂ）をＯＦＦする制御を行う構成を択一的に有している点で一致する。
　そうすると、本願補正発明と引用発明とは、「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、前記加熱手段（１２）、触媒加熱手段（２０ｂ）を制御する制御回路（２９）とで構成され、前記触媒脱臭器（２０）によって脱臭された空気を本体（１）外に排出する厨芥処理機において、前記触媒脱臭器（２０）を前記本体（１）と外側固定容器（３）との間に設置するとともに、触媒脱臭器（２０）の近傍あるいは触媒脱臭器（２０）に隣接して脱臭器センサー（２３）を設け、該脱臭器センサー（２３）を制御回路（２９）の入力側に接続し、該制御回路（２９）は、前記厨芥収納容器（４）内の厨芥ごみの乾燥運転が開始されて触媒加熱手段（２０ｂ）がＯＮし、触媒（２０ａ）の温度が上昇して触媒（２０ａ）に損傷を与えない上限に近い所定温度（Ｔ４）を超えたとき、触媒加熱手段（２０ｂ）をＯＦＦする制御を行うことを特徴とする厨芥処理機」の発明である点で一致し、両発明の構成に差異はない。
　
　したがって、本願補正発明は、本出願前に頒布された刊行物である引用例に記載された発明であるから、特許法第２９条第１項第３号に該当し、特許出願の際独立して特許を受けることができないものである。
　
（５）むすび
　以上のとおりであるから、平成１７年２月１６日付けの手続補正書によりなされた補正は、平成１８年改正前特許法第１７条の２第５項において準用する同法第１２６条第５項の規定に違反するので、同法第１５９条第１項の規定において読み替えて準用する同法第５３条第１項の規定により却下すべきものである。
　
３．本願発明について
（１）本願発明
　平成１７年２月１６日付けの手続補正は上記のとおり却下されたので、本願の請求項１に係る発明（以下、「本願発明」という。）は、平成１６年１２月７日付けの手続補正書により補正された特許請求の範囲の請求項１に記載された事項により特定される、以下のとおりのものである。
「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、前記加熱手段（１２）、触媒加熱手段（２０ｂ）を制御する制御回路（２９）とで構成され、前記触媒脱臭器（２０）によって脱臭された空気を本体（１）外に排出する厨芥処理機において、前記触媒脱臭器（２０）を前記本体（１）と外側固定容器（３）との間に設置するとともに、触媒脱臭器（２０）の近傍あるいは触媒脱臭器（２０）に隣接して脱臭器センサー（２３）を設け、該脱臭器センサー（２３）を制御回路（２９）の入力側に接続し、触媒脱臭器（２０）の触媒加熱手段（２０ｂ）を制御回路（２９）の出力側に接続し、脱臭器センサー（２３）が触媒（２０ａ）の活性温度領域内で高い温度に設定された所定温度（Ｔ３）または触媒（２０ａ）に損傷を与えない上限に近い値（Ｔ４）を超えたとき、触媒加熱手段（２０ｂ）をＯＦＦすることを特徴とする厨芥処理機。」
　
（２）本願の出願日について
　本願発明は、「脱臭器センサー（２３）が触媒（２０ａ）の活性温度領域内で高い温度に設定された所定温度（Ｔ３）または触媒（２０ａ）に損傷を与えない上限に近い値（Ｔ４）を超えたとき、触媒加熱手段（２０ｂ）をＯＦＦする」という事項を発明を特定するための事項とするものであり、この事項は「脱臭器センサー（２３）が触媒（２０ａ）の活性温度領域内で高い温度に設定された所定温度（Ｔ３）を超えたとき、触媒加熱手段（２０ｂ）をＯＦＦする」という事項を択一的に含むものである。
　そして、上記「２．（２）」と同様に、本願発明は、触媒加熱手段をＯＦＦする条件として、「脱臭器センサーの検出する温度の変化が所定の時間的な温度傾斜（△Ｔｆ／△ｔ）以上で」という事項を発明を特定するための事項としていないから、原出願の明細書又は図面に記載されている技術的事項の範囲内でない事項を含む発明である。
　そうすると、本願発明は、原出願の明細書又は図面に記載された発明の範囲内でない発明を含むものであり、本願は、特許法第４４条第１項の規定により新たな特許出願とすることができるものではなく、同条第２項の規定が適用されるものではないから、原出願の時にしたものとみなすことはできない。
　よって、本願の出願日は現実の出願日である平成１５年１２月１２日である。
　
（３）引用発明
　引用例の記載事項は上記「２．（３）」に記載したとおりであり、引用例には、上記「２．（４）」に記載したとおり、以下の発明が記載されているといえる。
「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、前記加熱手段（１２）、触媒加熱手段（２０ｂ）を制御する制御回路（２９）とで構成され、前記触媒脱臭器（２０）によって脱臭された空気を本体（１）外に排出する厨芥処理機において、前記触媒脱臭器（２０）を前記本体（１）と外側固定容器（３）との間に設置するとともに、触媒脱臭器（２０）の近傍あるいは触媒脱臭器（２０）に隣接して脱臭器センサー（２３）を設け、該脱臭器センサー（２３）を制御回路（２９）の入力側に接続し、触媒脱臭器（２０）の触媒加熱手段（２０ｂ）を制御回路（２９）の出力側に接続し、該制御回路（２９）は、前記厨芥収納容器（４）内の厨芥ごみの乾燥運転が開始されて触媒加熱手段（２０ｂ）がＯＮし、触媒（２０ａ）の温度が上昇して脱臭器センサー（２３）の検出する温度の変化が所定の時間的な温度傾斜（△Ｔｆ／△ｔ）以上でかつ脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする制御を行うことを特徴とする厨芥処理機」
　
（４）対比・判断
　本願発明と引用発明とを対比すると、引用発明の「触媒（２０ａ）の温度が上昇して脱臭器センサー（２３）の検出する温度の変化が所定の時間的な温度傾斜（△Ｔｆ／△ｔ）以上でかつ脱臭器センサー（２３）が触媒（２０ａ）の活性温度領域内で高い温度に設定された所定温度（Ｔ３）を超えたとき、または、さらに温度が上昇して触媒（２０ａ）に損傷を与えない上限に近い所定温度（Ｔ４）を超えたとき、触媒加熱手段（２０ｂ）をＯＦＦする」と、本願発明の「脱臭器センサー（２３）が触媒（２０ａ）の活性温度領域内で高い温度に設定された所定温度（Ｔ３）または触媒（２０ａ）に損傷を与えない上限に近い値（Ｔ４）を超えたとき、触媒加熱手段（２０ｂ）をＯＦＦする」とは、いずれも、脱臭器センサー（２３）が触媒（２０ａ）に損傷を与えない上限に近い値（Ｔ４）を超えたとき、触媒加熱手段（２０ｂ）をＯＦＦする構成を択一的に有している点で一致する。
　そうすると、本願発明と引用発明とは、「厨芥処理機の本体（１）と、この本体（１）の開口部を覆う本体蓋（２）と、前記本体（１）内に取り付けられた外側固定容器（３）と、この外側固定容器（３）内に着脱自在に設置された厨芥収納容器（４）と、この厨芥収納容器（４）内の厨芥ごみを加熱する加熱手段（１２）と、触媒（２０ａ）および触媒加熱手段（２０ｂ）とで構成され、前記厨芥収納容器（４）内で発生した臭気を無臭化する触媒脱臭器（２０）と、前記加熱手段（１２）、触媒加熱手段（２０ｂ）を制御する制御回路（２９）とで構成され、前記触媒脱臭器（２０）によって脱臭された空気を本体（１）外に排出する厨芥処理機において、前記触媒脱臭器（２０）を前記本体（１）と外側固定容器（３）との間に設置するとともに、触媒脱臭器（２０）の近傍あるいは触媒脱臭器（２０）に隣接して脱臭器センサー（２３）を設け、該脱臭器センサー（２３）を制御回路（２９）の入力側に接続し、触媒脱臭器（２０）の触媒加熱手段（２０ｂ）を制御回路（２９）の出力側に接続し、脱臭器センサー（２３）が触媒（２０ａ）に損傷を与えない上限に近い値（Ｔ４）を超えたとき、触媒加熱手段（２０ｂ）をＯＦＦすることを特徴とする厨芥処理機」の発明である点で一致し、両発明の構成に差異はない。
（５）むすび
　以上のとおり、本願発明は、引用例に記載された発明であるから、特許法第２９条第１項第３号に該当し、特許を受けることができず、本願は、拒絶すべきものである。
　よって、結論のとおり審決する。